(57)【要約】【課題】携帯端末から登録情報を取得できない場合であっても、原稿画像を送信する手段を提供する。【解決手段】ファクシミリ通信を行う通信部と、前記通信部で受信した画データに付加された通信端末情報を取得する通信端末情報取得部と、前記通信部および前記通信端末情報取得部を制御する制御部と、を有し、前記制御部は前記通信端末情報に基づいて画データの受信を通知する。【選択図】        図１
2020141339.tif 000002
【特許請求の範囲】
【請求項１】
ファクシミリ通信を行う通信部と、
前記通信部で受信した画データに付加された通信端末情報を取得する通信端末情報取得部と、
前記通信部および前記通信端末情報取得部を制御する制御部と、
を有し、
前記制御部は、前記通信端末情報に基づいて画データの受信を通知することを特徴とする画像通信装置。
【請求項２】
ファクシミリ通信を行う通信部と、
前記通信部で受信した画データに付加された通信端末情報を取得する通信端末情報取得部と、
画データの受信を通知する通知先通信端末情報を記憶する記憶部と、
前記通信部および前記通信端末情報取得部を制御する制御部と、
を有し、
前記制御部は、前記通信端末情報と前記通知先通信端末情報とに基づいて、前記画データを受信したことを通知するか否か判断することを特徴とする画像通信装置。
【請求項３】
第１の画像通信装置と、第２の画像通信装置と、通信端末とが通信回線を介して接続された画像通信システムにおいて、
前記第１の画像通信装置は、
前記通信回線を介して第２の画像通信装置と通信を行う第１の通信部と、
画データと画データに付加された前記通信端末の通信端末情報を前記第２の画像通信装置に前記通信部を制御し送信する第１の制御部と、
を有し、
前記第２の画像通信装置は、
前記通信回線を介して前記第１の画像通信装置および前記通信端末と通信を行う第２の通信部と、
前記第２の通信部で受信した前記通信端末情報を取得する通信端末情報取得部と、
画データの受信を通知する通知先通信端末情報を記憶する記憶部と、
前記第２の通信部および前記通信端末情報取得部を制御する制御部と、
を有し、
前記第２の制御部は、前記通信端末情報と前記通知先通信端末情報とに基づいて、前記画データを受信したことを通知するか否か判断することを特徴とする画像通信システム。
【請求項４】
請求項３に記載する画像通信システムにおいて、
画データの受信を前記通信端末に通知した後、
前記通信部は、前記通信端末から電話番号情報を受信し、
前記第２の制御部は、前記電話番号情報と前記前記通信端末情報とに基づき認証を行い、認証が成功した場合に前記画データを出力することを特徴とする画像通信システム。
【請求項５】
第１の画像通信装置と、第２の画像通信装置と、携帯端末とが通信回線を介して接続された画像通信システムの画像通信方法であって、
前記第１の画像通信装置は、
画データに通信端末情報を付加して前記第２の画像通信装置に送信するステップと、
前記画データを前記第２の画像通信装置に送信するステップと、
前記第２の画像通信装置は、
前記画データと前記通信端末情報を画像通信装置から受信するステップと、
前記受信した前記通信端末情報を取得するステップと、
前記通信端末情報と記憶部に記憶された通知先通信端末情報とに基づいて、前記画データを受信したことを通知するか否か判断するステップとを有することを特徴とする画像通信方法。
【発明の詳細な説明】
【技術分野】
【０００１】
本発明は、画像通信装置、画像通信システム及び画像通信方法に関する。
【背景技術】
【０００２】
従来のファクシミリ装置は、登録情報を携帯端末から取得し、取得した登録情報に基づいて原稿画像の読み取りまたは原稿画像の送信をするようにしている。（例えば、特許文献１参照）。
【先行技術文献】
【特許文献】
【０００３】
【特許文献１】特開２０１８−１０７６８５号公報
【発明の概要】
【発明が解決しようとする課題】
【０００４】
しかしながら、従来の画像通信装置では、携帯端末から原稿画像の送信指示と登録情報とを含む送信情報を受信し、登録情報に対応する原稿または原稿画像を決定し、その決定に基づいて原稿の読取画像または原稿画像を送信するようにしているので、携帯端末から登録情報を受信できない場合、原稿画像の読み取りまたは原稿画像の送信ができないという問題がある。
【０００５】
本発明は、このような問題を解決することを課題とし、携帯端末から登録情報を取得できない場合であっても、原稿画像を送信することを目的とする。
【課題を解決するための手段】
【０００６】
そのため、本発明は、ファクシミリ通信を行う通信部と、前記通信部で受信した画データに付加された通信端末情報を取得する通信端末情報取得部と、前記通信部および前記通信端末情報取得部を制御する制御部と、を有し、前記制御部は前記通信端末情報に基づいて画データの受信を通知することを特徴とする。
【発明の効果】
【０００７】
このようにした本発明は、携帯端末から登録情報を取得できない場合であっても、原稿画像を送信することができるという効果が得られる。
【図面の簡単な説明】
【０００８】
【図１】実施例における画像通信システムの構成を示すブロック図
【図２】実施例におけるファクシミリ装置の制御構成を示すブロック図
【図３】実施例における記憶部に記憶される通知先通信端末情報の説明図
【図４】実施例におけるＪＢＩＧ形式により符号化された画データ内のコメントマーカーセグメントの説明図
【図５】実施例におけるファクシミリ送信の流れを示すフローチャート
【図６】実施例におけるファクシミリ受信の流れを示すフローチャート
【発明を実施するための形態】
【０００９】
以下、図面を参照して本発明による画像通信部、画像通信システム及び画像通信方法の実施例を説明する。
【実施例１】
【００１０】
図１は実施例における画像通信システムの構成を示すブロック図である。
【００１１】
図１において、画像通信システム１は、第１のファクシミリ装置１０１と、第２のファクシミリ装置１０２と、携帯端末１０３と、電話網１０４と、第１の電話回線１０５と、第２の電話回線１０６とから構成されている。
【００１２】
第１の画像通信装置としての第１のファクシミリ装置１０１は、ファクシミリやプリンタなどの機能を有するものであり、第１の電話回線１０５と接続され、電話網１０４を介して第２のファクシミリ装置１０２と接続されるものである。
【００１３】
第２の画像通信装置としての第２のファクシミリ装置１０２は、ファクシミリやプリンタなどの機能を有するものであり、第２の電話回線１０６と接続され、電話網１０４を介して第１のファクシミリ装置１０１と接続されるものである。
【００１４】
通信端末としての携帯端末１０３は、例えば、タブレットやスマートフォン等の電話機能を有する携帯電話であり、第２の電話回線１０６と接続され、電話網１０４を介して第２のファクシミリ装置１０２と接続されるものである。
【００１５】
なお、本実施例では通信端末を携帯電話として説明するが、それに限定されず、第２のファクシミリ装置１０２と通信可能に接続されていれば、例えば、パーソナルコンピュータ等であってもよい。
【００１６】
また、携帯端末１０３と第２のファクシミリ装置１０２との間では、近距離無線通信を通じて、情報の授受が行われる。
【００１７】
電話網１０４は、例えば、公衆電話網やローカル電話網等であり、第１の電話回線１０５と第２の電話回線１０６とを接続し、第１のファクシミリ装置１０１と第２のファクシミリ装置１０２との間、第２のファクシミリ装置１０２と携帯端末１０３との間を相互に通信可能とするものである。
【００１８】
第１の電話回線１０５および第２の電話回線１０６は、第１のファクシミリ装置１０１、第２のファクシミリ装置１０２及び携帯端末１０３を物理的に接続するために構築された伝送路である。
【００１９】
図２は実施例におけるファクシミリ装置の制御構成を示すブロック図である。
【００２０】
なお、図２で説明するファクシミリ装置は、図１の第１のファクシミリ装置１０１、第２のファクシミリ装置１０２と同じ構成のため、ファクシミリ装置（１０１、１０２）としてまとめて説明する。
【００２１】
図２において、ファクシミリ装置（１０１、１０２）は、制御部２０１と、通信部２０２と、表示部２０３と、操作部２０４と、画像読取部２０５と、画像形成部２０６と、記憶部２０７とを有している。
【００２２】
制御部２０１は、ＣＰＵ（Ｃｅｎｔｒａｌ  Ｐｒｏｃｅｓｓｉｎｇ  Ｕｎｉｔ）等の制御手段を備え、ＲＯＭ（Ｒｅａｄ  Ｏｎｌｙ  Ｍｅｍｏｒｙ）等のメモリに記憶された制御プログラム（ソフトウェア）に基づいてファクシミリ装置全体の動作を制御するものである。
【００２３】
通信部２０２は、画データや手順信号等の変調処理、復調処理及び伝送処理を行うことにより、電話網１０４を介して接続された他のファクシミリ装置との間で通信処理を行うファクシミリの機能を有するモデム（ファックスモデム）である。
【００２４】
また、通信部２０２は、携帯端末１０３との間で近距離無線通信を行う通信インターフェースであり、通信方式は例えば、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等である。
【００２５】
表示部２０３は、各種画面やエラー情報等のファクシミリ装置のステータス情報を出力（表示）し、利用者へ通知するものであり、例えばディスプレイ等である。
【００２６】
操作部２０４は、タッチパネルと操作キーからなる入力手段により、利用者からの指示入力等を受付ける機能を有している。
【００２７】
画像読取部２０５は、スキャナの機能を有しており、原稿を光学センサにより読み取り、読み取った原稿に関する情報を画データへ変換するものである。
【００２８】
画像形成部２０６は、プリンタの機能を有しており、例えば、感熱記録方式や電子写真方式等により画データを媒体に印刷するものである。
【００２９】
記憶部２０７は、例えばハードディスクドライブからなり、画像読取部２０５で読み取った画データや、他のファクシミリ装置から受信した画データを格納するものである。
【００３０】
また、記憶部２０７は、他のファクシミリ装置から画データを受信した場合、画データの受信を通知する通知先の通信端末情報を記憶するものである。
【００３１】
図３は実施例における図２の記憶部２０７に記憶される通知先通信端末情報の説明図である。
【００３２】
図３において、通知先通信端末情報（通知先端末リスト）３０１は、ファクシミリ装置の利用者により入力された、画データの受信を通知する通知先の通信端末情報を格納するレコードを持つ。
【００３３】
本実施例では、通知先通信端末情報３０１は、携帯電話番号を格納するレコードを持つものとする。
【００３４】
図２についての説明に戻る。
【００３５】
制御部２０１は、バス２０８を介して、通信部２０２、表示部２０３、操作部２０４、画像読取部２０５、画像形成部２０６及び記憶部２０７と接続されており、上述した各部の制御を行うものとして、通信制御部２０１１と、表示制御部２０１２と、ジョブ制御部２０１３と、プリント制御部２０１４と、画像読取制御部２０１５と、データ制御部２０１６と、画像処理制御部２０１７とを有している。
【００３６】
通信制御部２０１１は、通信部２０２を制御して、ＩＴＵ−Ｔ勧告Ｔ．３０に規定された伝像制御手順に基づいて、電話網１０４に接続された他のファクシミリ装置との間で、画データの送信及び受信等のファクシミリ通信を行う。
【００３７】
また、通信制御部２０１１は、通信部２０２を制御して、近距離無線通信を通じて携帯端末１０３との間で、情報の授受を行う。
【００３８】
表示制御部２０１２は、表示部２０３を制御して、ファクシミリ装置の利用者に対して装置のステータス情報等の出力（表示）を行う。
【００３９】
ジョブ制御部２０１３は、通信部２０２によって実行されるファクシミリ通信のジョブ管理や、画像形成部２０６によって実行される印刷処理のジョブ管理を行う。
【００４０】
プリント制御部２０１４は、画像形成部を制御して、他のファクシミリ装置から受信した画データを媒体に印刷する。
【００４１】
画像読取制御部２０１５は、画像読取部２０５を制御して、単一もしくは複数枚の原稿の読み取りを行い、読み取った画データをファクシミリ装置１０２のＲＡＭや記憶部２０７に保存する。
【００４２】
データ制御部２０１６は、記憶部２０７に対して、他のファクシミリ装置から受信した画データ、画像読取部２０５により読み取った画データの書き込み又は読み込みを行う。
【００４３】
また、画像処理制御部２０１７は、他のファクシミリ装置に画データを送信する場合、画像読取部２０５により読み取った画データの符号化を行う。
【００４４】
画データの符号化形式には、ＪＢＩＧ、ＪＰＥＧ、ＴＩＦＦ等があるが、本実施例の画
像処理制御部２０１７においては、ＪＢＩＧ形式により、画像読取部２０５により読み取
った画データの符号化を行う。なお、ＪＢＩＧ（Ｊｏｉｎｔ  Ｂｉ−ｌｅｖｅｌ  Ｉｍａ
ｇｅ  Ｅｘｐｅｒｔｓ  Ｇｒｏｕｐ）は、ＩＴＵ−Ｔ勧告Ｔ．８２に規定された画データ
の符号化方式である。
【００４５】
図４は実施例におけるＪＢＩＧ形式により符号化された画データ内のコメントマーカーセグメントの説明図である。
【００４６】
図４において、ＪＢＩＧ形式により符号化された画データ内のコメントマーカーセグメント４０１は、ＥＳＣ（ＥＳＣＡＰＥ）と、ＣＯＭＭＥＮＴと、ＬＣ（Ｌｅｎｇｔｈ  ｉｎ  ｂｙｔｅｓ  ｏｆ  ｐｒｉｖａｔｅ  ｃｏｍｍｅｎｔ）と、通信端末情報４０２とを有し、Ｌｃでデータサイズを指定することにより、任意のデータとして通信端末情報４０２をコメントマーカーセグメント４０１に付加することができる。
【００４７】
本実施例では、コメントマーカーセグメント４０１に、通信端末情報４０２として指定した個人の携帯電話番号を付加することで、個人を指定して画データをファクシミリ送信することができる。
【００４８】
また、他のファクシミリ装置から画データを受信する場合、通信端末情報取得部として
の画像処理制御部２０１７は、受信したＪＢＩＧ形式により符号化された画データの復号
化を行うとともに、コメントマーカーセグメント４０１に携帯電話番号が付加されている
か否か判定し、コメントマーカーセグメント３０１に携帯電話番号が付加されている場合、
携帯電話番号を取得する。
【００４９】
上述した構成の作用について説明する。
【００５０】
第１のファクシミリ装置１０１から第２のファクシミリ装置１０２へのファクシミリ送信処理を図５の実施例におけるファクシミリ送信の流れを示すフローチャートの図中Ｓで表すステップに従って図１から図４を参照しながら説明する。
【００５１】
なお、第１のファクシミリ装置１０１と第２のファクシミリ装置１０２の制御構成は同様であるため、同一の符号を付して以下説明をする。
【００５２】
Ｓ５０１：第１のファクシミリ装置１０１の操作部２０４は、利用者から表示部２０３に表示された画面にしたがって、第２のファクシミリ装置１０２の電話番号（ファクシミリ番号）を受け付ける。
【００５３】
Ｓ５０２：第１のファクシミリ装置１０１の操作部２０４は、利用者から表示部２０３に表示された画面にしたがって、指定する個人の携帯電話番号を受け付ける
Ｓ５０３：第１のファクシミリ装置１０１の画像読取制御部２０１５は、画像読取部２０５を制御して、セットされた原稿の読取りを行う。
【００５４】
Ｓ５０４：第１のファクシミリ装置１０１の通信制御部２０１１は、通信部２０２に回線捕捉指示を行い、通信部２０２が回線捕捉処理を実行する。
【００５５】
Ｓ５０５：第１のファクシミリ装置１０１の通信制御部２０１１は、通信部２０２に発呼指示を行い、通信部２０２が送信先の第２のファクシミリ装置１０２の電話番号を発呼する。
【００５６】
Ｓ５０６：第１のファクシミリ装置１０１の通信制御部２０１１は、ＩＴＵ−Ｔ勧告Ｔ．３０に規定された第２のファクシミリの通信能力を示すＤＩＳ（Ｄｉｇｉｔａｌ  ｉｄｅｎｔｉｆｉｃａｔｉｏｎ  ｓｉｇｎａｌ）を受信し、送信先の第２のファクシミリ装置１０２の通信能力を取得する。
【００５７】
Ｓ５０７：第１のファクシミリ装置１０１の通信制御部２０１１は、ステップＳ５０６で取得した送信先の第２のファクシミリ装置１０２の通信能力を解析し、送信先の第２のファクシミリ装置１０２がＪＢＩＧ符号化データの受信能力を備えているか判定する。
【００５８】
ＪＢＩＧ符号化データの受信能力を備えている場合はステップＳ５０８へと移行し、ＪＢＩＧ符号化データの受信能力を備えていない場合はステップＳ５１０へ移行する。
【００５９】
Ｓ５０８：第１のファクシミリ装置１０１の画像処理制御部２０１７は、ＪＢＩＧ形式により、ステップＳ５０３で読み取った画データの符号化を行う。
【００６０】
Ｓ５０９：第１のファクシミリ装置１０１の画像処理制御部２０１７は、ＪＢＩＧ形式による符号化データ内のコメントマーカーセグメント４０１に通信端末情報としてＳ５０２で入力された個人の携帯電話番号を付加する。
【００６１】
Ｓ５１０：第１のファクシミリ装置１０１の画像処理制御部２０１７は、ＪＢＩＧ形式以外の送信先の第２のファクシミリ装置１０２が受信可能な形式により、ステップＳ５０３で読み取った画データの符号化を行う。
【００６２】
Ｓ５１１：第１のファクシミリ装置１０１の通信制御部２０１１は、ＩＴＵ−Ｔ勧告Ｔ．３０に規定された伝送手段にしたがって、画データを送信先の第２のファクシミリ装置１０２へ送信する。
【００６３】
Ｓ５１２：第１のファクシミリ装置１０１の通信制御部２０１１は、ＩＴＵ−Ｔ勧告Ｔ．３０に規定された伝送手段にしたがって、ファクシミリ送信を完了する。
【００６４】
Ｓ５１３：第１のファクシミリ装置１０１の通信制御部２０１１は、通信部２０２に回線開放指示を行い、通信部２０２が回線開放処理を実行してファクシミリ送信処理を終了する。
【００６５】
次に、第２のファクシミリ装置１０２が第１のファクシミリ装置（他の画像通信装置）１０１から送信されたファクシミリを受信するファクシミリ受信処理を図６の実施例におけるファクシミリ受信の流れを示すフローチャートの図中Ｓで表すステップに従って図１から図５を参照しながら説明する。
【００６６】
Ｓ６０１：第２のファクシミリ装置１０２の通信部（第２の通信部）２０２は、電話網１０４からの呼出信号を検出する。
【００６７】
Ｓ６０２：第２のファクシミリ装置１０２の通信制御部２０１１は、通信部２０２に回線捕捉指示を行い、通信部２０２が回線捕捉処理を実行する。
【００６８】
Ｓ６０３：第２のファクシミリ装置１０２の通信制御部２０１１は、ＪＢＩＧの受信能力を備えており有効であるとＤＩＳを生成し、送信元の第１のファクシミリ装置１０１に送信することで第２のファクシミリ装置１０２の通信能力を伝達する。
【００６９】
Ｓ６０４：第２のファクシミリ装置１０２の通信制御部２０１１は、ＩＴＵ−Ｔ勧告Ｔ．３０に規定された伝送手順にしたがって、画データを送信元の第１のファクシミリ装置１０１から受信する。
【００７０】
Ｓ６０５：第２のファクシミリ装置１０２の通信制御部２０１１は、ＩＴＵ−Ｔ勧告Ｔ．３０に規定された伝送手順にしたがって、ファクシミリの受信を完了する。データ制御部２０１６は、受信した画データを記憶部２０７に記憶させる。
【００７１】
Ｓ６０６：第２のファクシミリ装置１０２の通信制御部２０１１は、通信部２０２に回線開放指示を行い、通信部２０２が回線開放処理を実行してファクシミリ受信処理を終了する。
【００７２】
Ｓ６０７：第２のファクシミリ装置１０２の画像処理制御部２０１７は、受信した画データの符号化形式がＪＢＩＧ形式であるか否かを判定する。ＪＢＩＧ形式である場合はＳ６０８へ移行し、ＪＢＩＧ形式でない場合はＳ６１３へ移行する。
【００７３】
Ｓ６０８：第２のファクシミリ装置１０２の画像処理制御部２０１７は、受信した画データのＪＢＩＧ形式による符号化データ内のコメントマーカーセグメント４０１に携帯電話番号が付加されているか否かを判定し、携帯電話番号が付加されている場合は、携帯電話番号を取得する。コメントマーカーセグメント４０１に携帯電話番号が付加されている場合はＳ６０９に移行し、携帯電話番号が付加されていない場合はＳ６１３へ移行する。
【００７４】
Ｓ６０９：第２のファクシミリ装置１０２のジョブ制御部２０１３は、コメントマーカーセグメント４０１に付加された携帯電話番号と一致する携帯電話番号が、通知先通信端末情報３０１に格納されているか否かの判定を行い、一致する携帯電話番号が通知先通信端末情報に格納されている場合はＳ６１０へ移行し、一致する携帯電話番号が通知先通信端末情報に格納されていない場合はＳ６１３へ移行する。
【００７５】
Ｓ６１０：第２のファクシミリ装置１０２のデータ制御部２０１６は、受信した画データを記憶部２０７に保持する。
【００７６】
Ｓ６１１：第２のファクシミリ装置１０２の通信制御部２０１１は、コメントマーカーセグメント４０１に付加された携帯電話番号と一致する通知先通信端末情報に格納された携帯電話番号に基づいて携帯端末１０３へ発呼して、例えば音声案内等の電話でファクシミリの受信通知を行う。
【００７７】
Ｓ６１２：第２のファクシミリ装置１０２の通信制御部２０１１は、画データの受信を通知した携帯端末１０３との間で近距離無線通信を行い、携帯端末１０３から電話番号情報として自機の携帯電話番号を受信したか否かを判定し、認証を行い、認証が成立した場合はＳ６１３へ移行し、認証が成立しない場合は所定時間待機した後Ｓ６１１へ移行する。
【００７８】
Ｓ６１３：第２のファクシミリ装置１０２のプリント制御部２０１４は、画データを表示部２０３に表示したり、画像形成部２０６で媒体へ印刷する等、受信画を出力する。
【００７９】
すなわち、第２のファクシミリ装置１０２のプリント制御部２０１４は、携帯端末１０３から受信した電話番号情報と画データに付加された携帯電話番号とが一致する場合、その画データの媒体への印刷を実行する。
【００８０】
このように、個人を指定してファクシミリ送信する場合、送信元の第１のファクシミリ装置１０１が個人の電話番号を通信端末情報として画データ内のコメントマーカーセグメント４０１に付加し、送信先となる第２のファクシミリ装置１０２に送信することにより、送信先の第２のファクシミリ装置１０２が受信した画データ内のコメントマーカーセグメント４０１に携帯電話番号が付加されているか否か判定し、携帯電話番号が付加されている場合、付加された携帯電話番号を取得し、取得した携帯電話番号と一致する携帯電話番号が格納された通知先通信端末情報３０１に基づいて、携帯端末１０３に画データの受信を通知することができ、ファクシミリを送信する際に、携帯端末から登録情報としての携帯電話番号を取得できない場合であっても、原稿画像を送信することができる。
【００８１】
さらに、送信先の第２のファクシミリ装置１０２は、画データの受信の通知を受けた携帯端末１０３から近距離無線通信を通じて自機の電話番号を受信し、受信した電話番号に基づいて認証を行い、認証が成功するまで画データの印刷を行わないことにより、送信元の第１のファクシミリ装置１０１で指定した個人以外の者に画データを印刷されることを防ぐことができる。
【００８２】
以上説明したように、本実施例では、ファクシミリ装置は、コメントマーカーセグメントに個人を指定する携帯電話番号が付加された画データを受信すると、付加された電話番号情報を取得し、取得した携帯電話番号と一致する携帯電話番号が格納された通知先通信端末情報に基づいて携帯端末１０３に画データの受信を通知することができ、携帯端末から登録情報としての携帯電話番号を取得できない場合であっても、原稿画像を送信することができるという効果が得られる。
【００８３】
さらに、ファクシミリ装置は、画データの受信を通知した携帯端末１０３から印刷指示を受信するまで、画データの印刷を行わないことにより、指定した個人以外による画データの印刷を防ぐことができるという効果が得られる。
【００８４】
なお、本実施例では、第２のファクシミリ装置１０２は通信端末情報と記憶部に記憶された通知先通信端末情報３０１とに基づいて画データの受信を通知すると説明したが、記憶部に通知先通信端末情報３０１が記憶されていない場合は、通信端末情報（携帯電話番号）に基づいて画データの受信を通知するようにしてもよい。
【００８５】
なお、本実施例では、第２のファクシミリ装置１０２から携帯端末１０３への画データの受信通知方法として携帯端末１０３を用いた場合を説明したが、それに限定されず、第２のファクシミリ装置１０２と携帯端末１０３とがネットワーク接続環境下にあるのならば、第１のファクシミリ装置１０１で個人を指定するＥ−ｍａｉｌアドレスを画データ内のコメントマーカーセグメント４０１に付加して送信し、受信した第２のファクシミリ装置１０２はコメントマーカーセグメント４０１に付加されたＥ−ｍａｉｌアドレスと一致するＥ−ｍａｉｌアドレスが格納された通知先通信端末情報に基づいて、Ｅ−ｍａｉｌを携帯端末１０３に送信することにより画データの受信を通知するようにしてもよく、パスワードをＥ−ｍａｉｌに添付し、第２のファクシミリ装置の操作部を介してそのパスワードを入力し認証してもよい。
【００８６】
なお、本実施例では、画データの符号化形式としてＪ−ＢＩＧ形式を用いて説明したが、それに限定されず、第１のファクシミリ装置１０１および第２のファクシミリ装置１０２がＪ−ＢＩＧ形式以外の符号化形式、例えばＪＰＥＧやＴＩＦＦ等により符号化された画データの受信能力があるのならば、符号化形式としてＪＰＥＧやＴＩＦＦ等を適用しても良い。
【符号の説明】
【００８７】
１        画像通信システム
１０１    第１のファクシミリ装置
１０２    第２のファクシミリ装置
１０３    携帯端末
１０４    電話網
１０５    第１の電話回線
１０６    第２の電話回線
２０１    制御部
２０１１  通信制御部
２０１２  表示制御部
２０１３  ジョブ制御部
２０１４  プリント制御部
２０１５  画像読取制御部
２０１６  データ制御部
２０１７  画像処理制御部
２０２    通信部
２０３    表示部
２０４    操作部
２０５    画像読取部
２０６    記憶部
２０７    画像形成部
３０１    通知先通信端末情報
４０１    コメントマーカーセグメント
４０２    通信端末情報
【図１】
2020141339.tif 000003
【図２】
2020141339.tif 000004
【図３】
2020141339.tif 000005
【図４】
2020141339.tif 000006
【図５】
2020141339.tif 000007
【図６】
2020141339.tif 000008